(57)【要約】      （修正有）【課題】電動ケーブルと送気管を省略した呼吸用保護具の提供。【解決手段】面体部に送気ユニットとフィルターとを設けた呼吸用保護具であって、前記送気ユニットに電動ファン、モーター及びバッテリーを内蔵させたことを特徴とする呼吸用保護具である。【選択図】図１
2006102324.tif 000002
【特許請求の範囲】
【請求項１】
面体部に送気ユニットとフィルターとを設けた呼吸用保護具であって、前記送気ユニットに電動ファン、モーター及びバッテリーを内蔵させたことを特徴とする呼吸用保護具。
【請求項２】
面体部に更に伝声器を備えたことを特徴とする請求項１記載の呼吸用保護具。
【発明の詳細な説明】
【技術分野】
【０００１】
本発明は、工場、工事現場、隧道建設工事等の粉塵や有毒ガスが発生する場所などにおいて防塵マスクや防毒マスクとして使用することのできる電動ファン付呼吸用保護具に関するものである。
【背景技術】
【０００２】
従来、この種の電動ファン付呼吸用保護具呼吸用保護具としは、装着者の少なくとも鼻と口を覆う面体と、電動ファンと電動ファンを駆動するモーターとフィルターとからなり、電動ファンとフィルターによって大気中に浮遊している微粒子状の物質を除去した清浄空気を、装着者の顔面まで送る構造になっている。その為、呼吸用保護具には清浄な空気を送るエアラインホースや或いはモーターに送電するための電源ケーブル等が設けられているため装着者がこの呼吸用保護具を着用して作業する際に色々と不便を感じていることが多かった。特に隧道工事でダイナマイト等の爆発物を使用する切羽では電源コードを有する電動ファン付呼吸保護具は安全面で使用できない場合があり、電源コードのない電動ファン付呼吸用保護具が必要とされている。
この点を改良するために種々の呼吸用保護具が提案されており、例えば、特許文献１には電動ファンユニットにフィルターと電動ファンとを組み込んだ呼吸用保護具が示されている。しかしながら、この呼吸用保護具はバッテリーより左右の電動ファンユニットに通電するための電源ケーブルを備える必要がある。また、特許文献２には本体ケーシング内へ電動ファンを内蔵したファンユニットを収納し、ファンユニットの吸い込み口より上流側において、本体ケーシングにろ過材を取り付け、本体ケーシング内のファンユニットの吸い込み口とろ過材との間に筒状のダクトを介在させ、ダクトの一端をファンユニットの吸い込み口及びダクトの他端とろ過材とをそれぞれ圧着した電動ファン付呼吸用保護具が示されている。
【特許文献１】特開２００３−１１７０１３号公報
【特許文献２】特開２００４−１６４６６号公報
【発明の開示】
【発明が解決しようとする課題】
【０００３】
そこで、本発明者らは構造が簡単で、装着者にとって装着しやすく、且つ装着しても作業のしやすい呼吸用保護具について鋭意検討した結果、本発明を完成したもので、本発明の目的は構造が簡単で、装着しやすい呼吸用保護具を提供することである。
【課題を解決するための手段】
【０００４】
本発明の要旨は、面体部に送気ユニットとフィルターとを設けた呼吸用保護具であって、前記送気ユニットに電動ファン、モーター及びバッテリーを内蔵させたことを特徴とする呼吸用保護具である。
【発明の効果】
【０００５】
本発明の呼吸用保護具は、送気ユニットに電動ファン、モーター及びバッテリーの三者を一体化して組み込んであるので、従来品のように、電動ケーブルや送気管を設ける必要はなく、また、構造が簡単なので装着しやすく、装着して作業もしやすい等の利点を有する。
【発明を実施するための最良の形態】
【０００６】
本発明について詳細に述べる。
本発明の面体部は装着者の顔面全体を覆う全面形面体でも、また、顔面の鼻及び口を覆う半面形面体の何れでも良く、顔面に接する部分はシリコ−ンゴムやニトリルゴムのような弾力性を有する素材で二重になっている。その表面側には、フィルター及び排気弁及び締め紐を設けてあって、これらの点は従来の呼吸用保護具と変わりはない。本発明では、更に送気ユニットを備えている点に特徴を有する。面体部の裏面側は、包み込むような接顔形状をしており、その素材としては表面側と同一のものでよく、表面側よりやや厚さの薄いもので構成すると、装着安定性にすぐれるので好適である。排気弁は従来の呼吸用保護具の排気弁と変わらず、送気ユニットより送気された余分の清浄な空気及び呼気を排気する。
また、面体部には外部と会話が出来るように伝声器を設けることが好ましい。さらに、ヘルメットとの併用を前提として締め紐を設けることが好ましく、幅広の締め紐をヘルメットのつば部で保持するようにすると、より一層装着安定性が向上するので好ましい。
【０００７】
送気ユニットには電動ファン、モーター及びバッテリーの三者を一体化されて組み込んであり、バッテリーの表面は硬質合成樹脂などで構成されているバッテリーカバーで覆い、バッテリーの脱落を防止する。そして、電源スイッチを設け、これに風量調節つまみを兼ねさせ、スイッチオンにして電動ファンを作動させると共に更に回転させて送気する風量を調整するようにする。更に、バッテリー残存電圧表示灯を設けてバッテリーの充電状態を表示させることが好ましい。
【実施例】
【０００８】
次に実施例として図面をもって更に本発明を具体的に説明するが、本発明はこの実施例によって限定されるものではない。図１は本発明の呼吸用保護具をヘルメットと共に装着する状態の斜視図であり、図２は本発明の呼吸用保護具を各部材に分解したときの斜視図である。図１において、鼻と口を覆う面体部１の中央にはバッテリー９やファンモータ等から成る送気ユニット２を取り付け、その左右にフィルター３を設ける。そして、中央部の送気ユニット２の上部に伝声器４を設け装着者が外部と会話が出来るようになっている。面体部１の両側に締め紐５を取り付け、装着者がかぶるヘルメット６のつば部で保持するようにして本発明の呼吸用保護具を装着できるようにしてある。図２において、送気ユニット２は面体部１に取り付けられている部分７とバッテリーを保持している部分８とが螺着されている。バッテリーを保持している部分８の中央部にバッテリー９が保持され、その下側に風量調節を兼ねた電源スイッチ１０が設けられている。その内部にモーター及び電動ファンが設けられている。この部分を本発明の呼吸用保護具の断面図である図３に示す。図３において、送気ユニット２の面体部に取り付けられている部分７の内部上部及び下部には面体部１に取り付けられているフィルター３と接続している吸気弁１１が設けられており、また、面体部内側より外部に通ずる排気弁１２が設けられている。１５はバッテリーカバーである。
【０００９】
このような本発明にかかる呼吸用保護具を装着した電源スイッチをオンした場合、空気の流れを図３の矢印で示す。即ち、電動ファンが回転して外部空気を呼び込み、フィルターを通過して清浄な空気となって吸気弁１１より面体内に導入されるので、装着者は常に清浄な空気の雰囲気下にいることとなる。そして装着者の呼気及び過剰な清浄空気は面体の外側に取り付けられている排気弁１２より排気される。
【産業上の利用可能性】
【００１０】
本発明の呼吸用保護具には電源ケ−ブルや送気管が無いので、工場、工事現場等の粉塵や有毒ガスが発生する場所などにおいて防塵マスクや防毒マスクとして使用するのに適している。
【図面の簡単な説明】
【００１１】
【図１】本発明の呼吸用保護具をヘルメットと共に装着する状態の斜視図。
【図２】本発明の呼吸用保護具を各部材に分解したときの斜視図。
【図３】本発明の呼吸用保護具の断面図
【符号の説明】
【００１２】
１  面体部      ２  送気ユニット      ３  フィルター
４  伝声器      ５  締め紐      ６  ヘルメット
７  送気ユニットの面体側部分      ８  送気ユニットのバッテリー保持側部分
９  バッテリー      １０  電源スイッチ      １１  吸気口      １２  排気弁
１３  モーター      １４  電動ファン      １５  バッテリーカバー
【図１】
2006102324.tif 000003
【図２】
2006102324.tif 000004
【図３】
2006102324.tif 000005